(57)【要約】      （修正有）【課題】歩数計とＣＤ−ＲＯＭなどのメディアに保存されたプログラムとによって仮想旅サービスを提供し、或いはＷｅｂサイトを通して仮想旅サービスを提供する事業者が損失を生じないようにする。また、歩数計の周辺デバイスインターフェースケーブルをユーザパソコンへ接続するか、或いは既に周辺デバイスインターフェースケーブルを接続したユーザパソコンの電源を入れた時に、仲介プログラムが自動的に起動して、仮想旅サービスが開始される仮想旅システムにおいて、歩数計と仲介プログラムの間の一致性を確保して、ユーザパソコンの作動エラーが生じることを防止する。【解決手段】歩数計とパソコンを用いてウォーキングを行いながら仮想の旅を行う仮想旅システムに用いる歩数計に、製品を特定する認識記号、例えばシリアル番号を付与した。【選択図】図１
2007334844.tif 000002
【特許請求の範囲】
【請求項１】
製品を特定する認識記号を付与した歩数計とパソコンを用いて、ウォーキングを行いながら仮想の旅を行う仮想旅システム及び装置。
【請求項２】
前記仮想の旅が、歩数計とＣＤ−ＲＯＭなどのメディアに保存されたプログラムとを提供する事業者によって企画されることを特徴とする請求項１記載の仮想旅システムおよび装置。
【請求項３】
前記仮想の旅が、歩数計を提供し、かつＷｅｂサイトを通して仮想旅サービスを提供する事業者によって企画されることを特徴とする請求項１〜２記載の仮想旅システムおよび装置。
【請求項４】
前記仮想の旅が、歩数計の周辺デバイスインターフェースケーブルをユーザパソコンへ接続するか、或いは既に周辺デバイスインターフェースケーブルを接続したユーザパソコンの電源を入れた時に、仲介プログラムが自動的に起動して開始されるものであることを特徴とする請求項１〜３記載の仮想旅システムおよび装置。
【請求項５】
前記製品を特定する認識記号が、歩数計のデータ処理機構に保存されることを特徴とする前記請求項１〜４記載の仮想旅システムおよび装置。
【請求項６】
前記製品を特定する認識記号が、シリアル番号であることを特徴とする請求項１〜５記載の仮想旅システムおよび装置。
【発明の詳細な説明】
【技術分野】
【０００１】  本発明は、歩数計（万歩計）とパソコンを利用して、ウォーキングを行いながら仮想の旅を行うことのできるシステム及び装置において、歩数計に識別情報を与えて、歩数計を特定させることに関する。
【背景技術】
【０００２】  人は、時に生活の場を離れて、異郷の地を旅することにより、人生への大いなる知恵と経験を重ねることができる。このために、人は種々の地域、場所への旅に憧れ、また、思い出の地への再度の訪問をしたい欲求にかられる。しかしながら、そのような旅への憧れ・欲求を持ちながらも、時間やお金などの制約のために、そのような旅への憧れ・欲求を簡単には実現できない人たちも多い。
一方、近年、成人病予防のための健康法の一つとして、ウォーキングが盛んに行われるようになって来た。ウォーキングは、住まいの場所周辺を一定距離だけ歩く身近なものから、少し離れた地域を選んで、かなりの距離を歩く旅的なものまで、種々の形態がある。このようなウォーキングに共通するのは、ミニであるが日常に無い新しい発見が出来たりする旅的な要素を有していることである。
このために、ウォーキングを利用して仮想的な旅を楽しむシステムがこれまでに考えられて来た。【０００３】  その方法の１つが例えば特開２００２−２３３６６３号公報などに示されている方法である。図３を持いて、この方法を説明する。１０はユーザが一般に用いるパソコンであり、これには、万歩計１１が、周辺デバイスインターフェース１２を介して接続され、またウェブサイトのサーバ１３が、通信リンク１４を介して接続されている。ＣＤ−ＲＯＭディスク１５には、歩数計から送られる歩数とユーザの特定の歩幅とから歩行距離を表示する旅シミュレーションプログラムや、ユーザが選択して用いることのできる各旅のコースを示したウォーキング地図、その他が納められており、ＣＤ−ＲＯＭディスク１５をディスクドライブへ挿入した後、それらをパソコン１０のハードディスクへ転送する。万歩計には携帯メモリが接続されており、歩行時の歩数がこの携帯メモリへ保存され、また必要な時にその歩数データがパソコンへ周辺デバイスインターフェース１２を介して転送される。パソコン１０に取り込まれた歩数データは、旅シミュレーションプログラムにより、予め設定されているユーザの歩幅により歩行距離が計算されて、パソコンのブラウザ画面にウォーキング地図と共に到達地点が表示され、同時に、これまでの歩数合計や、経過時間、次の地点までの距離・時間などの諸データが表示される。また、同じブラウザ画面には、最寄の観光ポイントの地図や特産品などの買い物ポイント、レストラン、宿泊所などを見ることの出来るボタンが設けられ、ユーザがそのボタンをクリックすると、旅シミュレーションプログラムに指定されたウェブサイトのサーバ１３がデータベースＤＢ１〜ＤＢ２から必要な情報を取り寄せて送り返すので、ユーザはこれらの旅情報をも見て楽しむことが出来る。【０００５】  しかしこの方法では、ユーザが用いる歩数計はどのようなものでも使用でき、ユーザが、歩数計とＣＤ−ＲＯＭなどのメディアに保存されたプログラムとによって仮想旅サービスを行う事業者が提供する歩数計を用いずに、周辺デバイスインターフェース接続のできる他の歩数計を用いた場合でも、ユーザが、仮想旅プログラムを起動して、その事業者が提供する仮想旅サービスを受けることができる。この場合、このような、歩数計とＣＤ−ＲＯＭなどのメディアに保存されたプログラムとによって仮想旅サービスを行う事業者は、損失を被る。
また、ユーザは、Ｗｅｂサイトを通して仮想旅サービスを行う事業者が提供する歩数計を用いずに、周辺デバイスインターフェース接続のできる他の歩数計を用いた場合でも、その事業者が運営するＷｅｂサイトへ接続を行って、その事業者が提供する仮想旅サービスを受けることができる。この場合、このような、Ｗｅｂサイトを通して仮想旅サービスを行う事業者は、損失を被る。【０００６】    また、図８ａに示した仮想旅システムは、本件出願人が先に出願した仮想旅システムの発明を示すものであり、図８ｂは、この仮想旅システムのおける歩数計データ処理機構３０とユーザパソコン２３の関係を示す。歩数計（万歩計）２１の周辺デバイスインターフェースケーブル２２をユーザパソコン２３へ接続するか、或いは既に周辺デバイスインターフェースケーブル２２を接続したユーザパソコン２３の電源を入れるかすると、ユーザパソコン２３にインストールされている仲介プログラム３２がファームウェア３１中にある仮想ＣＤ−ＲＯＭにより、自動的に起動するものである（仲介プログラム３２は歩数計のファームウェア３１中に設けられる場合もある）。この仲介プログラム３２が自動的に起動することにより、通信リンク２４を介してウェブサイトのサーバ２５とユーザパソコン２３が接続され、この仲介プログラムによって歩数計２１の歩数計データ処理機構３０によって保存される歩数データがウェブサイトのサーバ２５へ送られ、次にその仲介プログラム３２によってユーザパソコン２３のＷＷＷブラウザが起動すると共に、ウェブサイトのサーバ２５からは、歩数計２１の歩数データによって処理されたウォーキングデータとウォーキング地図及び関連情報ボタンデータ等が送られ、これによって、ユーザパソコン２３のＷＷＷブラウザ画面上には、ユーザのこれまでの歩行距離、残り歩行距離とルート上の到達地点等のユーザのウォーキングデータや、ウォーキング地図及び関連情報のボタン等が表示される。歩数計２１は単独でも良いし、携帯電話機に歩数計を組み込んだものでも良い。
しかし、このような仮想旅システムにおいては、歩数計２１に、例えばシリアル番号などの、その歩数計を特定するような識別情報が与えられていないので、歩数計のファームウェア、又はユーザパソコン中に設けられている仲介プログラムが所定の働きを行う保証がされない。即ち、仲介プログラムは歩数計と一体で作動するものであるから、規定のものと異なった歩数計が使用された場合、仲介プログラムは正常な作動をすることができず、このために、パソコンが作動エラーを起こす危険性が生じる。
【発明の開示】
【発明が解決しようとする課題】
【０００５】  本発明の目的は、歩数計（万歩計）とパソコンを利用して、ウォーキングを行いながら仮想の旅を行うことのできるシステム及び装置において、歩数計とＣＤ−ＲＯＭなどのメディアに保存されたプログラムとによって仮想旅サービスを提供する事業者が損失を生じないようにすることにある。
また、本発明の目的は、歩数計とパソコンを利用して、ウォーキングを行いながら仮想の旅を行うことのできるシステム及び装置において、歩数計を提供し、かつＷｅｂサイトを通して仮想旅サービスを提供する事業者が損失を生じないようにすることにある。
また、本発明の目的は、歩数計の周辺デバイスインターフェースケーブルをユーザパソコンへ接続するか、或いは既に周辺デバイスインターフェースケーブルを接続したユーザパソコンの電源を入れた時に、仲介プログラムが自動的に起動して、仮想旅サービスが開始される仮想旅システムにおいて、歩数計と仲介プログラムの間の一致性を確保して、ユーザパソコンの作動エラーが生じることを防止することにある。
【課題を解決するための手段】
【０００６】上記課題を解決するために本発明においては、仮想旅システムに用いる歩数計に製品を特定する認識記号、例えばシリアル番号を付与した。
請求項１記載の発明は、製品を特定する認識記号を付与した歩数計とパソコンを用いて、ウォーキングを行いながら仮想の旅を行う仮想旅システム及び装置である。
請求項２記載の発明は、前記仮想の旅が、歩数計とＣＤ−ＲＯＭなどのメディアに保存されたプログラムとを提供する事業者によって企画されることを特徴とする請求項１記載の仮想旅システムおよび装置である。
請求項３記載の発明は、前記仮想の旅が、歩数計を提供し、かつＷｅｂサイトを通して仮想旅サービスを提供する事業者によって企画されることを特徴とする請求項１〜２記載の仮想旅システムおよび装置である。
請求項４記載の発明は、前記仮想の旅が、歩数計の周辺デバイスインターフェースケーブルをユーザパソコンへ接続するか、或いは既に周辺デバイスインターフェースケーブルを接続したユーザパソコンの電源を入れた時に、仲介プログラムが自動的に起動して開始されるものであることを特徴とする請求項１〜３記載の仮想旅システムおよび装置である。
請求項５記載の発明は、前記製品を特定する認識記号が、歩数計のデータ処理機構に保存されることを特徴とする前記請求項１〜４記載の仮想旅システムおよび装置である。
請求項６記載の発明は、前記製品を特定する認識記号が、シリアル番号であることを特徴とする請求項１〜５記載の仮想旅システムおよび装置である。【０００７】  以下、本発明の課題を解決するための手段を、各図を用いてより詳しく説明する。
図１は、本発明の基本構成を示す図であり、歩数計の裏面側を示している。歩数計１０１は、よく知られている歩数カンターと図４ｂの３０に示したような歩数計データ処理機構を含んでおり、その先端には、ユーザパソコンのＵＳＢソケットへ挿入接続するためのＵＳＢプラグ１０２が設けられている。ＵＳＢプラグ１０２は、歩数計１０１の先端にダイレクトに設けず、周辺デバイスインターフェースケーブルを介して設けてもよい。
前記歩数計データ処理機構は、ＲＯＭ領域とＲＡＭ領域とからなり、ＲＯＭ領域は、図４ｂの３１に示したような歩数プログラムと仮想ＣＤ−ＲＯＭを含むファームウェア他を含んでおり、ＲＡＭ領域は、歩数データを保存するメモリを含んでいる。
１０３は、歩数計１０１の裏面に表示された歩数計１０１のシリアル番号を示している。「２６９８ＨＹ−３６５４２１３」という英数字は、シリアル番号１０３の一例である。
シリアル番号１０３は、歩数計１０１の製造毎に決められ、前記歩数計データ処理機構の前記ＲＯＭ領域に記憶保存される。【０００８】  図２ａは、Ｗｅｂサイトのサーバ１０５へ接続されたユーザパソコン１０４へ、歩数計１０１を、ＵＳＢのような周辺デバイスインターフェース１０７を介して接続した例である。歩数計１０１には、認識記号、例えばシリアル番号１０３が、その歩数計データ処理機構のＲＯＭ領域などに保存されている。
仮想旅を楽しむユーザが、ユーザパソコン１０４によって仮想旅プログラム１０６を起動を開始した時、この仮想旅プログラム１０６は、歩数計１０１から送られているシリアル番号１０３を調べ、それが仮想旅プログラム１０６自体の認識記号と一致したときに、起動を完了させる。もし、歩数計１０１からシリアル番号１０３が送られて来ないか、シリアル番号１０３が送られて来ても、仮想旅プログラム１０６の認識記号と一致しない場合は、仮想旅プログラム１０６の起動は中止される。これによって、歩数計とＣＤ−ＲＯＭなどのメディアに保存されたプログラムとによって仮想旅を提供する事業者が提供する歩数計以外の歩数計を、ユーザが使用した場合はこのユーザは、仮想旅のサービスを受けることが出来ないので、事業者の利益は守られる。【０００９】  また、このような事業者がＷｅｂサイトも管理する場合は、そのＷｅｂサイトのサーバ１０５は、歩数計１０１から送られて来るシリアル番号を調べ、それが自身が管理する製品の範囲内である場合に限ってユーザパソコン１０４へ応答を行う。もしユーザが使用する歩数計が、このような事業者が提供する歩数計と異なっている場合は、Ｗｅｂサイトのサーバ１０５は、ユーザパソコン１０４への応答を拒否する。これによって、歩数計を提供し、かつＷｅｂサイトを通して仮想旅を提供する事業者が提供する歩数計以外の歩数計を、ユーザが使用した場合は、このユーザは仮想旅のサービスを受けることが出来ないので、このような事業者の利益も守られる。【００１０】  図２ｂは、歩数計１０１を、周辺デバイスインターフェースケーブル１０７を介してユーザパソコン１０４へ接続するか、或いは既に周辺デバイスインターフェースケーブル１０７を接続したユーザパソコン１０４の電源を入れるかすると、ユーザパソコン１０４にインストールされている仲介プログラム１０８が、仮想ＣＤ−ＲＯＭなどにより、自動的に起動するものである（仲介プログラム１０８は歩数計１０１のファームウェア中に設けられる場合もある）。この仲介プログラム１０８が自動的に起動することにより、通信リンクを介してウェブサイトのサーバ１０５とユーザパソコン１０４が接続され、この仲介プログラムによって歩数計１０１の歩数データがウェブサイトのサーバ１０５へ送られ、次にその仲介プログラム１０８によってユーザパソコン１０４のＷＷＷブラウザが起動すると共に、ウェブサイトのサーバ１０５からは、歩数計１０１の歩数データによって処理されたウォーキングデータとウォーキング地図及び関連情報ボタンデータ等が送られ、これによって、ユーザパソコン１０４のＷＷＷブラウザ画面上には、ユーザのこれまでの歩行距離、残り歩行距離とルート上の到達地点等のユーザのウォーキングデータや、ウォーキング地図及び関連情報のボタン等が表示される。歩数計１０１は単独でも良いし、携帯電話機に歩数計を組み込んだものでも良い。【００１１】  歩数計１０１には、認識記号、例えばシリアル番号１０３が、その歩数計データ処理機構のＲＯＭ領域などに保存されている。歩数計１０１を、周辺デバイスインターフェースケーブル１０７を介してユーザパソコン１０４へ接続するか、或いは既に周辺デバイスインターフェースケーブル１０７を接続したユーザパソコン１０４の電源を入れるかして、仲介プログラム１０８が自動的に起動を開始する際に、仲介プログラム１０８は、歩数計から送られて来ているシリアル番号１０３を調べ、それが仲介プログラム１０８自身の認識記号と一致した場合は、起動を完了させる。もし、歩数計から送られて来ているシリアル番号１０３と、仲介プログラム１０８の認識記号と一致しない場合は、起動を中止する。
これによって、歩数計を、周辺デバイスインターフェースケーブルを介してユーザパソコンへ接続するか、或いは既に周辺デバイスインターフェースケーブルを接続したユーザパソコンの電源を入れるかして、仲介プログラムを自動的に起動させる仮想旅システムにおいて、もし、歩数計１０１が、仲介プログラムがサポートするものと異なったものが使用された場合に生じるユーザパソコン１０４の作動エラーを防止することができる。
【発明の効果】
【００１２】  本発明においては、歩数計とＣＤ−ＲＯＭなどのメディアに保存されたプログラムとによって仮想旅を提供する事業者の利益を守ることができる。
また、本発明においては、歩数計を提供し、かつＷｅｂサイトを通して仮想旅を提供する事業者の利益を守ることができる。
また、本発明においては、歩数計を、周辺デバイスインターフェースケーブルを介してユーザパソコンへ接続するか、或いは既に周辺デバイスインターフェースケーブルを接続したユーザパソコンの電源を入れるかして、仲介プログラムを自動的に起動させる仮想旅システムにおいて、ユーザパソコンの作動エラーを防止することができる。
【図面の簡単な説明】
【００１３】
【図１】は、本発明における歩数計の背面図を示す。
【図２ａ】は、本発明における、歩数計とＣＤ−ＲＯＭなどのメディアに保存されたプログラムとによって、かつＷｅｂサイトを通して仮想旅を提供する事業者が行う仮想旅システムの概略を示す。
【図２ｂ】は、歩数計を、周辺デバイスインターフェースケーブルを介してユーザパソコンへ接続するか、或いは既に周辺デバイスインターフェースケーブルを接続したユーザパソコンの電源を入れるかして、仲介プログラムを自動的に起動させる仮想旅システムの概略を示す。
【図３】は、第１の従来例を示す。
【図４ａ】は、第２の従来例の概略を示す。
【図４ｂ】は、第２の従来例の歩数計データ処理機構を示す。
【符号の説明】
【００５７】１０  ユーザパソコン
１１  万歩計
１２  周辺デバイスインターフェース
１３  ウェブサイトのサーバ
１４  通信リンク
１５  ＣＤ−ＲＯＭ
２１  歩数計
２２  周辺デバイスインターフェースケーブル
２３  ユーザパソコン
２４  通信リンク
２５  ウェブサイトのサーバ
３０  歩数計データ処理機構
３１  ファームウェア
３２  仲介プログラム
１０１  歩数計
１０２  ＵＳＢプラグ
１０３  シリアル番号
１０４  ユーザパソコン
１０５  Ｗｅｂサイトのサーバ
１０６  仮想旅プログラム
１０７  周辺デバイスインターフェース
１０８  仲介プログラム
【図１】
2007334844.tif 000003
【図２ａ】
2007334844.tif 000004
【図２ｂ】
2007334844.tif 000005
【図３】
2007334844.tif 000006
【図４ａ】
2007334844.tif 000007
【図４ｂ】
2007334844.tif 000008